(57)【要約】物理的に安定なままであり、約５００cp未満の安定な粘度を特徴とし、その結果広範囲にわたる雰囲気温度で長期間容易に注ぐことが可能なままである、エステルクアト柔軟化化合物を含む水性濯ぎサイクル布帛柔軟化組成物が提供される。【特許請求の範囲】
【請求項１】
物理的に安定なままであり、約５００cp未満の安定な粘度を特徴とし、その結果広範囲にわたる雰囲気温度で長期間容易に注ぐことが可能なままである、濃縮分散可能水性濯ぎサイクル布帛柔軟化組成物であって：
（ａ）アルカノールアミン及び脂肪酸誘導体の反応に続いて四級化から誘導した約１０〜約２５重量％の生物分解性脂肪エステル第四級アンモニウム化合物であって、該脂肪エステル第四級アンモニウム化合物は、式：
【化１】
2006506554.tif 000005
［式中、Ｑは、構造−ＯＣＯ−または−ＣＯＯ−を有するカルボキシル基を表し；Ｒ１は、８〜２２個の炭素原子を有する脂肪族炭化水素基を表し；Ｒ２は、−Ｑ−Ｒ１または−ＯＨを表し；ｑ、ｒ、ｓ及びｔは、各々独立して、１〜３の数を表し；Ｘ−ａは、原子価ａの陰イオンであり；
前記脂肪エステル第四級アンモニウム化合物は、モノエステル、ジエステル及びトリエステル化合物の分布で構成され、各Ｒ２が−ＯＨである場合に、モノエステルクアト化合物が形成され；１つのＲ２が−ＯＨであり、他のＲ２が−Ｑ−Ｒ１である場合に、ジエステルクアト化合物が形成され；各Ｒ２が−Ｑ−Ｒ１である場合に、トリエステルクアト化合物が形成され；前記脂肪エステル第四級アンモニウム化合物中のモノエステルクアト化合物の基準化パーセントは約２８％〜約３９％であり；ジエステルクアト化合物の基準化パーセントは約５２％〜約６２％であり、トリエステルクアト化合物の基準化パーセントは約７％〜約１４％であり；全てのパーセントは重量による。］
によって表される生物分解性脂肪エステル第四級アンモニウム化合物と；
（ｂ）約０．０１〜約１重量％の電解質と；
（ｃ）約０〜約２重量％の金属イオン封鎖剤と；
（ｄ）約０〜約２重量％の乳化剤と；
（ｅ）約０〜約５重量％の香料と；
（ｆ）残りは水；
を含む組成物。
【請求項２】
前記粘度は、広範囲にわたる雰囲気温度で長期間約２５０cp未満のままである、請求項１に記載の布帛柔軟化組成物。
【請求項３】
前記脂肪エステル第四級アンモニウム化合物中のモノエステル化合物の基準化パーセントは約３１％〜約３７％であり、ジエステル化合物の基準化パーセントは約５３％〜約５９％であり、トリエステル化合物の基準化パーセントは約８％〜約１２％であり、全てのパーセントは重量による、請求項１に記載の布帛柔軟化組成物。
【請求項４】
モノエステル化合物の基準化パーセントは約３４％であり、ジエステル化合物の基準化パーセントは約５６％であり、トリエステル化合物の基準化パーセントは約１０％である、請求項２に記載の布帛柔軟化組成物。
【請求項５】
１，２−ベンズイソチアゾリン−３−オン分子（アベシア・バイオサイズ製の商品名プロキセル）を保存剤として含む、請求項２に記載の布帛柔軟化組成物。
【請求項６】
有効な量の請求項１に記載の布帛柔軟化組成物を含む水溶液を形成することと、次に柔軟化すべき布帛を前記水溶液と接触させることとを含む、布帛を柔軟化する方法。
【発明の詳細な説明】
【技術分野】
【０００１】
本発明は、液体布帛柔軟化組成物に関する。より詳細には、本発明は、自動家庭用洗濯機の濯ぎサイクルにおいて使用するのに適し、長期間にわたって安定でかつ注ぐことが可能なままである、布帛柔軟化組成物に関する。
【背景技術】
【０００２】
エステル化第四級アンモニウム化合物は、布帛柔軟剤として従来技術において周知である。Jacques et al.に付与された米国特許第4,844,823号は、ジエステル化長鎖脂肪酸ジ低級アルキル第四級アンモニウム塩を脂肪族アルコールと共に使用するための好ましいクラスの陽イオン柔軟剤として説明している。EP-A-309052においては、四級化柔軟化化合物の化学的安定性を改良すると言われているアルキオキシル化アルコール（alkyoxylated alcohol）と組み合わせてモノエステルまたはジエステル第四級アンモニウム化合物を含む液体柔軟化組成物が開示されている。
【０００３】
エステル化第四級アンモニウム化合物（“エステルクアト（Esterquat）”）は、Kang et al.（ステパン（Stepan））に付与された米国特許第3,915,867号において説明されており、これは、Ｎ−メチル，Ｎ，Ｎ−ジ−（ベータ−Ｃ１４−Ｃ１８−アシルオキシエチル），Ｎ−ベータ−ヒドロキシエチルアンモニウムメトサルフェートを含む。こうしたエステルクアトは、良好な柔軟化特性並びに優れた白色度保持及び再湿潤特性を特徴とし、アルカノールアミン及び脂肪酸アルキルエステル混合物の反応によって製造される。
【０００４】
Contet et al.（ステパン）に付与された米国特許第5,637,743号においては、第四級アンモニウム塩布帛柔軟剤が説明されており、これは、脂肪酸またはこのような酸の脂肪エステル誘導体と第三級アミンとの反応から誘導され、ここで、脂肪酸フラクション対第三級アミンのモル比は１．８５〜１．４０であり、このモル比は、四級化プロセスの前の平衡分布におけるモノエステルの増大したレベルに対応する。
【０００５】
一般にこうした従来技術の柔軟化化合物を用いて満足な結果が得られるが、濃縮布帛柔軟化組成物を使用している間に有効な布帛柔軟化を提供することができるという観点から、さらなる改良が必要である。より高濃度の柔軟剤は、温度変動または長いエージングにさらされた場合に典型的に物理的に不安定であり、注ぐことが不可能である。従って、物理的に安定なままであり、約５００cp未満の安定な粘度を特徴とし、その結果広範囲にわたる雰囲気温度で長期間容易に注ぐことが可能なままである、エステルクアトに基づく布帛柔軟化組成物に対する必要が、従来技術において存在する。
【発明の開示】
【０００６】
本発明は、物理的に安定なままであり、約５００cp未満の安定な粘度を特徴とし、その結果広範囲にわたる雰囲気温度で長期間容易に注ぐことが可能なままである、濃縮分散可能水性濯ぎサイクル布帛柔軟化組成物であって：
（ａ）アルカノールアミン及び脂肪酸誘導体の反応に続いて四級化から誘導した約１０〜約２５重量％の生物分解性脂肪エステル第四級アンモニウム化合物であって、該脂肪エステル第四級アンモニウム化合物は、式：
【化１】
2006506554.tif 000002
【０００７】
［式中、Ｑは、構造−ＯＣＯ−または−ＣＯＯ−を有するカルボキシル基を表し；Ｒ１は、８〜２２個の炭素原子を有する脂肪族炭化水素基を表し；Ｒ２は、−Ｑ−Ｒ１または−ＯＨを表し；ｑ、ｒ、ｓ及びｔは、各々独立して、１〜３の数を表し；Ｘ−ａは、原子価ａの陰イオンであり；
前記脂肪エステル第四級アンモニウム化合物は、モノエステル、ジエステル及びトリエステル化合物の分布で構成され、各Ｒ２が−ＯＨである場合に、モノエステルクアト化合物が形成され；１つのＲ２が−ＯＨであり、他のＲ２が−Ｑ−Ｒ１である場合に、ジエステルクアト化合物が形成され；各Ｒ２が−Ｑ−Ｒ１である場合に、トリエステルクアト化合物が形成され；前記脂肪エステル第四級アンモニウム化合物中のモノエステルクアト化合物の基準化パーセントは約２８％〜約３９％であり；ジエステルクアト化合物の基準化パーセントは約５２％〜約６２％であり、トリエステルクアト化合物の基準化パーセントは約７％〜約１４％であり；全てのパーセントは重量による。］
によって表される生物分解性脂肪エステル第四級アンモニウム化合物と；
（ｂ）約０．０１〜約１重量％の電解質と；
（ｃ）約０〜約２重量％の金属イオン封鎖剤と；
（ｄ）約０〜約２重量％の乳化剤と；
（ｅ）約０〜約５重量％の香料と；
（ｆ）残りは水；
を含む組成物を提供する。
【０００８】
本発明の好適な具体例においては、布帛柔軟化組成物は、約１２〜約２０重量％を占める。
本明細書において説明する柔軟化組成物は、約５００cp未満、より好ましくは約２５０cp未満の安定な粘度を特徴とし、その結果、これは、広範囲にわたる雰囲気温度で長期間容易に注ぐことが可能なままである。
【０００９】
本発明の脂肪エステル第四級アンモニウム化合物においては、モノエステル化合物の重量基準化パーセントは好ましくは約３１％〜約３７％であり、ジエステル化合物の重量基準化パーセントは好ましくは約５３％〜約５９％であり、トリエステル化合物の重量基準化パーセントは好ましくは約８％〜約１２％である。
【００１０】
本発明はまた、上記に定義した布帛柔軟化組成物で構成される有効な量の組成物を含む水性浴中で、処理すべき布帛を濯ぐことを含む、布帛を柔軟化する方法を包含する。
本明細書において説明するモノ、ジ、及びトリエステルクアトの重量％を、"Characterisation of quaternized triethanolamine esters (esterquats) by HPLC, HRCGC and NMR" A. J. Wilkes, C. Jacobs, G. Walraven and J. M. Talbot - Colgate Palmolive R&D Inc.- 4th world Surfactants Congress, Barcelone, 3-7 VI 1996, page 382という刊行物において説明されている定量的分析方法によって決定する。乾燥試料に関して測定したモノ、ジ及びトリエステルクアトの重量％を、１００％で基準化する。基準化は、約１０〜１５重量％の非四級化種の例えばエステルアミン及び遊離脂肪酸の存在が理由となって必要となる。従って、本明細書において説明する基準化重量％は、原料の純粋なエステルクアト成分を指す。
【００１１】
本発明は、電解質の存在下で柔軟化組成物中に１０〜２５重量％の濃度で本発明の脂肪エステル第四級アンモニウム化合物を使用することは、従来のエステルクアト化合物の使用と比較して、水性柔軟剤組成物中のエステルクアト化合物のかなりより大きな分散をもたらし、その結果分散性を提供するための水性組成物の乳化剤若しくは他の添加剤または特殊均質化処理若しくは装置に対する必要は原則としてもはやないという発見に基づいている。この改良された分散性は、かなり改良された物理的安定性を明らかにし、粘度５００cp未満、好ましくは２５０cpを特徴とし、安定なままであり、その結果、高濃度で及び広範囲にわたる雰囲気温度で長期間組成物は容易に注ぐことが可能なままである柔軟剤組成物の形成に反映される。さらに、本発明の組成物は、同等のレベルの従来のエステルクアト柔軟剤を含む組成物と比較して、同等の柔らかさ性能を提供する。
【発明を実施するための最良の形態】
【００１２】
本発明のエステルクアト布帛柔軟剤は、米国特許第3,915,867号において説明されているように（この開示を、本明細書において参考のために引用する）、脂肪酸とアルカノールアミンとの間の縮合反応の生成物を四級化することによって製造される。得られたエステル化生成物は、次の３つのエステルクアト種を含むエステルクアト化合物であり：１個のトリアルカノールアミン分子上でのそれぞれ１、２及び３個の脂肪酸分子の反応から生じるモノ−エステルクアト；ジ−エステルクアト；及びトリ−エステルクアトである。
【００１３】
エステル化プロセス条件に依存して、こうした３つの種の分布は変化することがある。本明細書において説明するエステルクアト化合物は、少なくとも１種の飽和または不飽和線形または枝分れ脂肪酸または誘導体を含む脂肪酸フラクションと少なくとも１種の官能基化第三級アミンとの間の縮合反応の生成物を四級化することによって製造され、ここで、脂肪酸フラクション対第三級アミンのモル比は約１．７：１である。このようなエステルクアト界面活性剤の製造方法は米国特許第5,637,743号（ステパン）において説明されており、この開示を、本明細書において参考のために引用する。
【００１４】
前述のモル比は、生成物中のモノ、ジ及びトリ−エステルクアト化合物の間の平衡を決定しよう。例えば、モル比約１．７を使用して、約３４％のモノ−エステルクアト、約５６％のジ−エステルクアト及び約１０％のトリ−エステルクアト（本発明による脂肪エステルクアト化合物である）の基準化分布をもたらす。他方では、例えば、モル比約１．９６を使用して、約２１％のモノ−エステルクアト、６１％のジ−エステルクアト及び１８％のトリ−エステルクアトの基準化分布をもたらす。このような平衡分布を有する最後のエステルクアト化合物は本発明によらず、本明細書における実施例において従来技術の典型である比較組成物として説明される。
【００１５】
本柔軟剤組成物が水性分散系として提供され、ここで、布帛柔軟剤エステルクアト化合物は、水性相中に安定に分散した微細に分割した形態で存在する。一般に、分散した粒子の粒度として平均して約２５ミクロン（μm）未満、好ましくは２０μm未満、特に好ましくは１０μm以下は、実際の使用の最中に、典型的に自動洗濯機の濯ぎサイクルにおいて粒度を維持できる限りは、柔軟化及び安定性の両方に関して許容可能である。下限は特に必要要件というわけではないが、実際的な製造の観点から、一般に約０．０１μm未満ではなく、好ましくは少なくとも約０．０５μmであろう。分散した柔軟剤成分の好ましい粒度範囲は約０．１〜約８μmである。
【００１６】
分散系の水性相は主に水であり、通常脱イオン水または蒸留水である。粘度の調節のために必要な場合、少量（例えば、最高約５重量％まで）の共溶媒が存在することがある。好ましいアルコールは、２〜４個の炭素原子を有するもの、例えば、エタノール、プロパノール、イソプロパノール、及びプロピレングリコールまたはエチレングリコールである。イソプロピルアルコール（２−プロパノール）が特に好ましい。しかしながら、共溶媒は必要ではなく、一般には避ける。
【００１７】
本発明の柔軟剤組成物は、分散系の粘度を低減し、約５００cp未満、より好ましくは２５０cpの安定な低粘度を長期間維持するために、電解質を含む。一般に、鉱酸のアルカリ金属またはアルカリ土類金属塩のいずれでも電解質として使用できる。それらの利用可能性、溶解度及び低い毒性に基づいて、ＮａＣｌ、ＣａＣｌ２、ＭｇＣｌ２及びＭｇＳＯ４並びにアルカリ金属及びアルカリ土類金属の同様の塩が好ましく、ＣａＣｌ２が特に好ましい。電解質の量を選択して、組成物が粘度５００cp未満、より好ましくは２５０cpに達するのを確実にする。一般に、必要な電解質塩の量は０．０１〜１．０重量％、好ましくは０．０１〜０．４０重量％である。
【００１８】
従来技術の濃縮柔軟剤組成物とは異なり、本発明の組成物は一般に、単数または複数の柔軟化成分を組成物中に分散させ、組成物の物理的安定性を確実にするために、乳化剤を必要としない。所望により、乳化剤を柔軟剤組成物中に含めてよく、例えば、アルキル鎖長約１３〜１５個の炭素原子を有する脂肪族アルコールエトキシラートであり、ここで、１モル当りのエチレン基の数は約１５〜２０である。このような使用のために特に好ましいのは、ＩＣＩケミカルズ（ICI Chemicals）が製造するシンペロニックＡ２０（Synperonic A20）であり、これは、アルコール１モル当り２０モルのエチレンオキシドを有するエトキシル化Ｃ１３〜Ｃ１５脂肪族アルコールである非イオン性界面活性剤である。
【００１９】
本発明の組成物は、０％〜約５％の香料を含んでよい。本明細書において使用する“香料”という用語をその通常の意味で使用して、任意の非水溶性芳香物質または天然（すなわち、花（flower）、ハーブ、花（blossom）または植物の抽出によって得られる）、人工（すなわち、天然油または油成分の混合物）及び合成によって製造した芳香を放つ物質（synthetically produced odoriferous substance）を含む物質の混合物を指し、含む。典型的に、香料は、様々な有機化合物の例えばアルコール、アルデヒド、エーテル、芳香族化合物及び様々な量の精油（例えば、テルペン）のブレンドの複雑な混合物であり、精油自体が揮発性の芳香を放つ化合物であり、香料の他の成分を溶解するのにも役立つ。
【００２０】
本発明においては、水不混和性の基準に適合し、快い臭気を有する限りは、液体布帛柔軟剤組成物の性能に関して、香料の特定の組成は重要ではない。
本発明の組成物は、０％〜約２％の保存剤の例えば、乳酸若しくはホルムアルデヒドの溶液、ブロモニトロプロパンジオール（シュルケ＆マイル（Schulke & Mayr）製のオイキシルＫ４４６（Euxyl K446））と混合した１，２−ジブロモ−２，４−ジシアノブタンの分散系または１，２−ベンズイソチアゾリン−３−オン分子（アベシア・バイオサイズ（Avecia Biocides）製のプロキセルＢＤ２−（Proxel BD2-）またはプロキセルＧＸＬ）の分散系を含んでよい。
【００２１】
超濃縮液体組成物のゲル化を防ぐために、組成物は、ポリエチレングリコールポリマーまたはポリエチレングリコールアルキルエーテルポリマーを含んでよい。本明細書において有用なポリエチレングリコールポリマーは、分子量少なくとも２００から分子量最高約８，０００までを有する。有用なポリマーとしては、ポリエチレングリコール及びポリエチレングリコールメチルエーテルポリマー（オールドリッチ・ケミカル・カンパニー（Aldrich Chemical Company）から販売されている）が挙げられる。組成物中のポリマーの有用な量は、約０．１〜約５重量％の範囲にわたる。約０．５〜約１．５重量％の範囲が好ましい。
【００２２】
レオロジー調整剤（rheology modifier）として有用であることが見い出された別の添加剤はクエン酸であり、一般に約０．０５〜１．０重量％、好ましくは約０．１〜０．６重量％の量である。
【００２３】
共柔軟剤（co-softener）を所望により本組成物中に含んでよく、これは例えば脂肪族アルコール、グリセリンモノ−ステアラートまたはグリセリンモノ−オレアートである。
布帛柔軟化組成物において一般に使用される他の任意の成分を少量加えて、本発明の液体布帛柔軟剤組成物の外観または性能特性を向上させてよい。このタイプの典型的な成分としては、着色剤、例えば、染料または顔料、青味付け剤（bluing agent）及び殺菌剤が挙げられるが、これらに限定されるものではない。
【００２４】
布帛柔軟剤組成物は、濃縮形態であろうと希釈形態であろうと、最終使用者によって容易に注ぐことが可能でなければならない。従って、一般に、生成物の粘度は、消費者が使用する場合に約５００センチポアズを超えるべきではなく、好ましくは２５０センチポアズ以下である。特に断らない限り、本明細書において使用する粘度は、５０rpmでスピンドル＃２を用いてブルックフィールドＲＶＴＤデジタル粘度計を使用して２５℃（２２〜２６℃）で測定する。
【００２５】
濃縮組成物を一般に４：１以上、好ましくは最高約８：１まで、または１０：１の率ででさえも希釈してよい。最高約２５重量％までの柔軟剤を有する濃縮生成物を製造してよく、これは、長期間にわたり注ぐことが可能で、相分離または懸濁粒子アグロメレーションに対して安定なままであろう。
【００２６】
金属イオン封鎖またはキレート化化合物を、本発明の布帛柔軟化組成物中に０〜２重量％の濃度で所望により含めてよい。有用な金属イオン封鎖化合物は、金属イオンを金属イオン封鎖でき、柔軟化組成物の少なくとも０．００１重量％のレベルで、好ましくは約０．００１％（１０ppm）〜０．５％、より好ましくは約０．００５〜０．２５重量％存在する。性質が酸性である金属イオン封鎖化合物は、酸形態で或いは適切な対陽イオンの例えばアルカリ若しくはアルカリ土類金属イオン、アンモニウム若しくは置換アンモニウムイオンまたは任意のこれらの混合物との錯体／塩として存在してよい。
【００２７】
金属イオン封鎖化合物は、アミノカルボン酸化合物及び有機アミノホスホン酸化合物、並びにその混合物の中から選択される。適切なアミノカルボン酸化合物としては：エチレンジアミン四酢酸（ＥＤＴＡ）；Ｎ−ヒドロキシエチレンジアミン三酢酸；ニトリロ三酢酸（ＮＴＡ）；及びジエチレントリアミン五酢酸（ＤＥＰＴＡ）が挙げられる。
【００２８】
適切な有機アミノホスホン酸化合物としては：エチレンジアミンテトラキス（メチレンホスホン酸）；１−ヒドロキシエタン１，１−ジホスホン酸（ＨＥＤＰ）；及びアミノトリ（メチレンホスホン酸）が挙げられる。
【実施例】
【００２９】
実施例１
本実施例は、本発明の範囲外である従来のエステルクアトを含む対応する組成物に対して、濃縮布帛柔軟剤組成物の配合において本発明の組成物によって提供される利点を証明する。
【００３０】
この実施例及び表１及び２において使用されるように、エステルクアトＡは、約２１％のモノエステル、約６１％のジエステル及び約１８％のトリエステル化合物（乾燥試料に関する基準化重量％）の分布を特徴とする本発明の範囲外のエステルクアトを指す。
【００３１】
エステルクアトＢは、約３４％のモノエステル、約５６％のジエステル及び約１０％のトリエステル化合物（乾燥試料に関する基準化重量％）の分布を特徴とする本発明によるエステルクアトを指す。
【００３２】
エステルクアトＢを含む本発明の柔軟化組成物と比較して、エステルクアトＡを含む柔軟化組成物が本明細書において比較組成物として提供される。
１６〜２７．５％のエステルクアト（ＡまたはＢであり、イソプロパノール中で９０％活性）を含む柔軟化組成物を表１において説明し、これを次の通り製造した。
【００３３】
約６０℃の温水を金属イオン封鎖剤と一緒に撹拌しながらミキサー中に導入し、続いて約６０℃でエステルクアトを加えた。香料及びＣａＣｌ２を、高温のエマルションに加え、混合物を次に３０℃に冷却した。次いで染料及び保存剤を最終工程として加えた。組成物の粘度測定を下記の表１に示す。
【００３４】
【表１】
2006506554.tif 000003
組成物１〜６の粘度を“製造後”（ｔ＝０）及び１日後に測定した。本発明の組成物４、５及び６は、約３０〜７０cpまで変化する１日後の粘度を特徴とし、一方、対応する比較組成物１、２及び３は、非常に高い粘度を特徴とするかまたはゲルを形成した。従って、本発明の組成物は、比較組成物と異なり、２００cp未満の望ましい低粘度を有し、粘度は２４時間後に安定なままである生成物を形成した。
実施例２
この実施例においては、表２に示す組成物７、８、９及び１０は、１１％及び１６．５％のエステルクアトＡを含み、それぞれ両方とも乳化剤を有するものと有しないものとがある比較柔軟化組成物を表す。柔軟化組成物１１、１２及び１３は、エステルクアトＢを含む本発明の組成物であり、全て乳化剤無しで配合した。表２に示すように、乳化剤無しで配合した比較組成物は、不安定な高粘度生成物またはゲル化生成物をもたらし、一方、乳化剤を含む比較組成物は、より安定な粘度プロフィルを有したが、高濃度の１６．５％のエステルクアトを含む組成物１０を４℃及び４３℃でエージングした場合に粘度が鋭く変化した。それに反して、本発明の組成物１１、１２及び１３は全て、広範囲にわたる温度及び広範囲の濃度で低く安定な粘度プロフィルを明らかにした。注目すべきことに、全ての本発明の組成物を乳化剤無しで配合し、しかもなお４℃〜４３℃の温度範囲にわたって４週間のエージングの間中安定なままだった。
【００３５】
【表２】
2006506554.tif 000004
【国際調査報告】
2006506554.tif 000006
2006506554.tif 000007